(57)【特許請求の範囲】
【請求項１】
改良対象の地盤内に所定深度まで貫入されるケーシングパイプ、
上記ケーシングパイプ内に上下動可能に挿入支持された上下動操作用ロッド、
上記ロッドの下端に一体に接続された曲げ加工可能な剛性噴射管、及び
上記ケーシングパイプ内の下部に固定設置された管ベンダー
を備え、
上記噴射管は、上記ロッド操作による下動時には、上記管ベンダーにより縦方向から横方向への曲げ加工を受けながら上記ケーシングパイプの側壁の出入口を通り地盤内に向け進出し、上記ロッド操作による上動時には、上記管ベンダーにより横方向から縦方向への曲げ加工を受けながらケーシングパイプ内に退去する構成とされている、
ことを特徴とする薬液注入装置。
【請求項２】
上記ロッドが中空であり、このロッドの中空部を通じ噴射管に対しゲルタイムの比較的長い薬液が供給されることを特徴とする請求項１記載の薬液注入装置。
【請求項３】
上記ロッドが２重管構成であり、該２重管を通じ上記噴射管に対しゲルタイムの比較的短かい薬液のＡ，Ｂ２液が個別に供給されることを特徴とする請求項１記載の薬液注入装置。
【請求項４】
噴射管のケーシングパイプ内への退去状態を基準にして、該噴射管は上部がロッドと同軸の直線部また下部が所定の曲率で湾曲する曲線部であり、該噴射管３の上部の直線部と下部の曲線部の左右両側には、それぞれ加工ロールが、該ロールの周溝において噴射管を左右両側から挟さむように上下に多段的に設置され、かつこの設置状態において各段の加工ロールの回転中心上を通る左右２本の延長線が噴射管の中心軸線と平行し、之等多段設置の加工ロールから管ベンダーが構成されていることを特徴とする請求項１記載の薬液注入装置。
【発明の詳細な説明】
【０００１】
【産業上の利用分野】
本発明は薬液注入装置に関する。
【０００２】
【従来技術とその問題点】
本出願人は先に特公平６−８５２９号公報にみられるように、地盤内に所定深度まで貫入した挿入管の側壁より噴射管を進退させる形式の薬液注入装置を提案した。この薬液注入装置によれば、一回の施工によって挿入管と同心の円の軌跡上で連続化された複数個の球状部よりなる拡大された地盤改良部を形成でき、施工能率を向上できる。
【０００３】
ところが上記薬液注入装置においては、噴射管として可撓性管を使用するような構成になっているので、噴射管が地盤内への進出時に固い地層に突き当たるとその可撓性により向きを変えてしまう虞れがあり、方向性があまりよくなく、施工の信頼性の面で一抹の不安があった。
【０００４】
本発明はこのような先発明の問題点を一掃することを目的としてなされたものである。
【０００５】
【問題点を解決するための手段】
本発明は、改良対象の地盤内に所定深度まで貫入されるケーシングパイプ、
上記ケーシングパイプ内に上下動可能に挿入支持された上下動操作用ロッド、
上記ロッドの下端に一体に接続された曲げ加工可能な剛性噴射管、及び
上記ケーシングパイプ内の下部に固定設置された管ベンダー
を備え、
上記噴射管は、上記ロッド操作による下動時には、上記管ベンダーにより縦方向から横方向への曲げ加工を受けながら上記ケーシングパイプの側壁の出入口を通り地盤内に向け進出し、上記ロッド操作による上動時には、上記管ベンダーにより横方向から縦方向への曲げ加工を受けながらケーシングパイプ内に退去する構成とされている、
ことを特徴とする薬液注入装置に係る。
【０００６】
【実施例】
以下に本発明の一実施例を添附図面にもとづき説明すると次の通りである。
【０００７】
本発明薬液注入装置は、図１，２に概略的に示す全体図から明らかなようにケーシングパイプ１、上下動操作用ロッド２、剛性噴射管３及び管ベンダー４を構成要素として備えている。
【０００８】
ケーシングパイプ１は改良対象の地盤ａ内に所定深度まで貫入が可能であり、この貫入は、地盤ａに予め形成の削孔内への貫入であってもあるいはケーシングパイプ１自身の削孔案内で貫入するようにしてもよい。
【０００９】
図１，２には後者の場合が示され、ケーシングパイプ１には、削孔のための付属装置、例えば公知の削孔用ロッドと同様に、先端ビット１ａ、回転付与機構１ｂ、削孔水供給導管１ｃ、スイベル１ｄ及び逆止弁１ｅが備えられている。
【００１０】
上下動操作用ロッド２は、ケーシングパイプ１内に好ましくは同心状に挿入され、この挿入状態において、上記パイプ１内に固設の支持部材５により支持されている。支持部材５には、削孔水の通孔５ａが形成されている。
【００１１】
上記ロッド２は地上部において上下駆動装置（図示せず）の適用により所定の許容巾で、上下方向に移動操作できるようになっている。
【００１２】
上記ロッド２は薬液供給用として利用でき、薬液としてゲルタイムの比較的長いものを用いる場合は単管が、また比較的短いものを用いる場合は、Ａ，Ｂ２液の個別供給が可能な２重管が用いられる。図１，２では後者の２重管構成（図３参照）のものが示され、内外管２ａ，２ｂにそれぞれＡ，Ｂ２液の供給ホース６ａ，６ｂが取付けられている。
【００１３】
またロッド２は下端に接続の剛性噴射管３を管ベンダー４内に強制的に押し込み曲げ加工するために高強度を有していることが必要であり、例えば鋼製のものが用いられる。
【００１４】
本発明において、噴射管３としては、地盤内進出時の方向性をよくするために特に剛性のものが用いられる。
【００１５】
剛性噴射管３は一回の施工で少なくとも２０〜３０回程度の曲げ加工を受けるので、繰返しの曲げ加工に耐え得るような材質のものを用いることが必要であり、例えば冷間引抜鋼管、ステンレス管などの鋼製のものが用いられる。
【００１６】
鋼製の噴射管３は少なくとも５０回程度の曲げ加工に耐え得ることができる。その他、銅，銅合金など繰返しの曲げ加工が可能な金属製のものを用い得る。
【００１７】
上記噴射管３は通常は１本の噴射通路を備えていればよいが、特に瞬結タイプの薬液を用いる場合には、Ａ，Ｂ２液を噴射口まで個別に送ることのできる、例えば２重管構成のものを用いることが適当である。
【００１８】
また噴射管３は図１即ち、ケーシングパイプ１内への退去状態を基準にして、上部がロッド２と同軸の直線部３Ａ、また下部が所定の曲率で湾曲する曲線３Ｂから構成され、曲線部３Ｂの下端部はケーシングパイプ１の側壁の出入口７内にフリーに挿入されている。出入口７の通路７ａは、曲線部３Ｂと略々同じ曲率で曲がっている。
【００１９】
管ベンダー４は、噴射管３をその上下動作につれ曲げ加工するためのものであり、図１，２ではケーシングパイプ１内に多段設置された左右の加工ロール４ａ，４ａから構成した場合が示されている。
【００２０】
左右の加工ロール４ａ，４ａは図４に示すようにその周溝４ａ1 ，４ａ1 において噴射管３を左右両側から挟さむように、噴射管３の直線部３Ａから曲線部３Ｂにかけて多段設置されている。この多段設置状態において、各段の加工ロール４ａの回転中心上を通る２本の延長線Ｌ1 ，Ｌ2 は図５に示すように噴射管３の中心軸線Ｌ3 と平行している。
【００２１】
本発明装置を用いて薬注を実施するに際しては、図１に示すようにロッド２を上動位置に保持した状態、即ち噴射管３の先端部をケーシングパイプ１の側壁の出入口７内に退去させた状態で、ケーシングパイプ１をロッド２とともに、上記パイプ１の削孔案内のもとに改良対象の地盤ａ内に所定深度まで貫入する。
【００２２】
ケーシングパイプ１及びロッド２が所定深度に達した後は、該パイプ１の貫入を停止し、次いで図２に示すようにロッド２を上下駆動手段例えばジャッキ（図示せず）の適用下に上動位置から下方に向け押し下げると、ロッド２の下端に接続している噴射管３は該ロッド３の押し下げにつれ下動し、下動中管ベンダー４を構成している各段の加工ロール４ａ，４ａ間を通過し曲げ加工を受け向きを縦方向から横方向に変えながらケーシングパイプ１の側壁の出入口７を通り地盤ａ内に進出して行く。
【００２３】
噴射管３は例えば鋼製であり剛性を有しているので、地盤ａ内への進出中、仮に硬い地層に突き当ることがあっても該地層中を向きを変えることなしに突き進んで行くことができる。
【００２４】
ロッド２の押し下げにより、噴射管３を地盤ａ内に進出させた後は、ロッド２の中空部から送られてくる薬液を噴射管３を通じ地盤ａ内に注入することにより、該噴射管３の先端噴口３ａを中心としてその付近に地盤改良部Ａを形成できる。
【００２５】
地盤改良部Ａを形成した後は、ロッド２の中空部及び噴射管３内に非固結性液剤例えば削孔水を供給し、洗浄再生する。この洗浄再生はゲルタイムの長い薬液を用いる場合は省略できる。
ロッド２及び噴射管３の洗浄再生を終えた後は、ロッド２を上下駆動装置例えばジャッキの適用により図１の上動位置に復帰させる。ロッド２の上動につれ、噴射管３は管ベンダー４内を下端から上方に向け通過し、この通過中、横方向から縦方向に曲げ加工を受け、図１に示す退去状態に復帰することができる。
【００２６】
図１の状態に復帰させた後は、ケーシングパイプ１及びロッド２を回転付与機構１ｂの作動をして例えば９０°回転し、この位置で再び先と同じ要領で薬注を行い、以下同様にトータルで４回薬注を行うことにより、ケーシングパイプ１の周りに３６０°全範囲に亘って地盤改良部を形成できる。
【００２７】
同一平面内における薬注を終えた後は、ケーシングパイプ１及びロッド２をステップアップしつつ薬注を繰返すことにより、地盤改良部を上下方向に連続させることができる。
【００２８】
本発明において、噴射管３は必ずしもシングルタイプである必要はなく、図６に示すようにダブルタイプであってもよい。この場合、加工ロール４ａとしてもダブルタイプのものが用いられる。
【００２９】
【発明の効果】
本発明によれば、剛性の噴射管を用い、該噴射管を管ベンダーによる曲げ加工により、ケーシングパイプの側壁から進退させるような構成にしたので、噴射管の地盤内進出時における方向性がよくなり施工の信頼性を向上できる。
【図面の簡単な説明】
【図１】本発明の１実施例を示す噴射管退去状態の一部縦断面図である。
【図２】同、噴射管進出状態の一部縦断面図である。
【図３】２重管構成の中空ロッドの断面図である。
【図４】加工ロールの説明図である。
【図５】管ベンダーの拡大図である。
【図６】ダブルタイプの噴射管を加工ロールとともに示す説明図である。
【符号の説明】
１    ケーシングパイプ
２    ロッド
３    噴射管
４    管ベンダー
５    支持部材
６ａ  供給ホース
６ｂ  供給ホース
７    出入口
【図１】
0003661039.tif 000002
【図２】
0003661039.tif 000003
【図３】
0003661039.tif 000004
【図４】
0003661039.tif 000005
【図５】
0003661039.tif 000006
【図６】
0003661039.tif 000007